(57)【要約】本発明は、車両用表示システム（１）であって、インターフェース（４）によって接続された表示モジュール（２）と接続モジュール（３）とを備え、接続モジュール（３）はインターフェース（４）を介して映像データ（Ｖ）を表示モジュール（２）に送信するように構成され、接続モジュール（３）内に配置されたマイクロプロセッサ（３．１）が表示される映像データ（Ｖ）に遠隔制御データパケット（ＲＣ）を埋め込むように適合され、それによって表示モジュール（２）を遠隔制御する表示システム（１）に関する。本発明はまた、表示システム（１）を動作させる方法に関する。
2015507755.tif 000002
【特許請求の範囲】
【請求項１】
車両用表示システム（１）であって、インターフェース（４）によって接続された表示モジュール（２）と接続モジュール（３）とを備え、前記接続モジュール（３）は前記インターフェース（４）を介して表示される映像データ（Ｖ）を前記表示モジュール（２）に伝送するように構成され、前記接続モジュール（３）内に配置されたマイクロプロセッサ（３．１）は前記表示される映像データ（Ｖ）に遠隔制御データパケット（ＲＣ）を埋め込むように適合され、それによって前記表示モジュール（２）を遠隔制御する車両用表示システム（１）。
【請求項２】
前記表示モジュール（２）は受信したデータ及び／又は送信されるデータを符号化及び／又は復号するための回路（２．１．１）を備え、前記表示モジュール（２）はマイクロプロセッサを備えていないことを特徴とする、請求項１に記載の表示システム（１）。
【請求項３】
前記インターフェース（４）は低電圧差動シグナリングインターフェースであることを特徴とする、請求項１又は２に記載の表示システム（１）。
【請求項４】
前記遠隔制御データパケット（ＲＣ）は、特に標準ＵＡＲＴ又はＩ２Ｃの一方に従う、シリアル通信フォーマットを有することを特徴とする、請求項１から３のいずれか１項に記載の表示システム（１）。
【請求項５】
前記表示モジュール（２）は薄膜トランジスタディスプレイとして構成された表示装置（２．２）を備えることを特徴とする、請求項１から４のいずれか１項に記載の表示システム（１）。
【請求項６】
前記表示モジュール（２）はユーザー入力を可能にするための入力装置（２．３）を備えることを特徴とする、請求項１から５のいずれか１項に記載の表示システム（１）。
【請求項７】
前記入力装置（２．３）は前記表示装置（２．２）上に配置されたタッチパネルであることを特徴とする、請求項６に記載の表示システム（１）。
【請求項８】
前記インターフェース（４）は一方向通信用に構成されることを特徴とする、請求項１から７のいずれか１項に記載の表示システム（１）。
【請求項９】
前記インターフェース（４）は双方向通信用に構成されることを特徴とする、請求項１から７のいずれか１項に記載の表示システム（１）。
【請求項１０】
請求項１から９のいずれか１項に記載の表示システム（１）を含む車両。
【請求項１１】
前記車両内に配置されたＣＡＮバスによって特徴付けられ、前記表示モジュール（２）及び／又は前記接続モジュール（３）はＣＡＮコマンドを送信及び／又は受信するために前記ＣＡＮバスに接続される、請求項１０に記載の車両。
【請求項１２】
インターフェース（４）によって接続された表示モジュール（２）と接続モジュール（３）とを備える車両用表示システム（１）を動作させる方法であって、前記接続モジュール（３）は前記インターフェース（４）を介して表示される映像データ（Ｖ）を前記表示モジュール（２）に送信し、前記接続モジュール（３）内に配置されたマイクロプロセッサ（３．１）が前記表示される映像データ（Ｖ）に遠隔制御データパケット（ＲＣ）を埋め込み、それによって前記表示モジュール（２）を遠隔制御することを特徴とする方法。
【請求項１３】
前記遠隔制御データパケット（ＲＣ）は前記表示モジュール（２）内の回路（２．１．１）によって復号され、且つ表示を開始及び／又は停止するために使用されることを特徴とする、請求項１２に記載の方法。
【請求項１４】
前記回路（２．１．１）は前記インターフェース（４）を介して前記接続モジュール（３）に送信するためにデータを符号化するように構成されることを特徴とする、請求項１３に記載の方法。
【請求項１５】
前記インターフェース（４）を通じて表示される映像データ（Ｖ）は低電圧差動シグナリングデータであり、前記表示される映像データ（Ｖ）に埋め込まれた制御データパケット（ＲＣ）は、特に標準ＵＡＲＴ又はＩ２Ｃの一方に従う、シリアル通信フォーマットを有することを特徴とする、請求項１２から１４のいずれか１項に記載の方法。
【発明の詳細な説明】
【技術分野】
【０００１】
本発明は、車両用表示システム及び表示システムを動作させる方法に関する。
【背景技術】
【０００２】
大部分の現代の自動車は、ＧＰＳ情報及び映像コンテンツを表示するための、ダッシュボードに配置された１つ又は複数のディスプレイを有することができ、ディスプレイはユーザーインターフェースとして機能することもできる。
【０００３】
特許文献１には、自動車に使用する高度な表示システム制御装置が開示されている。表示システムは、車両の運転手に図形及びテキストを表示する表示装置と、運転手による所望の機能情報の入力及び接触入力信号の生成のための接触スイッチ入力手段と、運転手による追加の機能情報の入力及び個別の信号の生成のための個別のスイッチ入力手段と、システム機能の選択的な分割により表示システムの動作を制御する表示制御装置とを備えるタイプのものである。ディスプレイコントローラは、入出力（Ｉ／Ｏ）チャネルと、データプロセッサ間でデータ及びコマンドを伝達するためのプロセッサ間データリンクと、選択されたシステム機能を表す制御信号を発し且つ制御信号に応答するためのマスターマイクロプロセッサと、マスターマイクロプロセッサに結合され、マスターデータ及びコマンドとシステム内のマスター機能を制御するためのマスター制御プログラムとを記憶するための記憶手段であって、マスター機能は接触スイッチ手段と個別のスイッチ手段に応じて表示装置に表示するための図形及びテキストの制御を含む記憶手段と、入出力チャネル及びプロセッサ間データリンクを介したマスターマイクロプロセッサとの通信を含む制御信号及びデータ信号を発し且つ応答するためのスレーブマイクロプロセッサと、スレーブマイクロプロセッサに結合され、スレーブデータ及びコマンドとシステム内のスレーブ機能を制御するためのスレーブ制御プログラムとを記憶するための記憶手段であって、スレーブ機能は表示制御装置の内部及び表示制御装置の外部の通信の制御及び監視を含む記憶手段とを備える。
【先行技術文献】
【特許文献】
【０００４】
【特許文献１】米国特許第４７８７０４０号明細書
【発明の概要】
【発明が解決しようとする課題】
【０００５】
本発明の目的は、改良された車両用表示システムを提供することである。本発明の他の目的は、車両用表示システムを動作させるための改良された方法を提供することである。
【課題を解決するための手段】
【０００６】
目的は、請求項１に記載の表示システムによって、及び請求項１２に記載の表示システムを動作させる方法によって達成される。
【０００７】
本発明の好ましい実施形態は、従属請求項に記載されている。
【０００８】
本発明によれば、車両用表示システムは、インターフェースで接続される表示モジュールと接続モジュールとを備える。接続モジュールは、インターフェースを介して表示される映像データを表示モジュールに送信するように構成される。マイクロプロセッサが接続モジュール内に配置され、且つ表示される映像データに遠隔制御データパケットを埋め込むように適合され、それによって表示モジュールを遠隔制御する。こうして、接続モジュールのマイクロプロセッサの計算力が接続モジュールと表示モジュールの間で共有される。従って、表示モジュールは、専用の特別なマイクロプロセッサなしで具現化されることができる。
【０００９】
代わりに、表示モジュールは、受信したデータ及び／又は伝達されるデータの符号化及び／又は復号のための比較的簡単な回路を備えることができる。
【００１０】
インターフェースは、低電圧差動シグナリングインターフェースであることができる。ＬＶＤＳは、ツイストペアケーブルを利用して比較的高速で動作することができる、安価なデジタルシグナリングシステムである。
【００１１】
映像データに埋め込まれた遠隔制御データパケットは、詳細には、標準ＵＡＲＴ又はＩ２Ｃの一方に従う、シリアル通信フォーマットを有することができる。
【００１２】
表示モジュールは、薄膜トランジスタディスプレイとして構成された表示装置を備えることができる。他の種類のディスプレイも適用することができる。
【００１３】
表示モジュールは、ユーザー入力を可能にするための入力装置を備えることができる。従って、表示モジュールは、対話型ヒューマンマシンインターフェースとして使用することができる。
【００１４】
入力装置は、表示装置上に配置されたタッチパネルとして構成されることができる。これにより、例えば、それらを操作するためにユーザーがタッチすることができる仮想ボタン及び他の制御要素を表示することによって、非常に直感的な対話が可能になる。
【００１５】
インターフェースでの通信は、接続モジュールから表示モジュールにデータを送信するための一方向であることができる。同様に、例示的な実施形態では、インターフェースでの通信は、表示モジュールがそのステータス又は入力装置から受信したデータを接続モジュールに通信することを可能にする、双方向であることもできる。
【００１６】
表示モジュールは、例えば車両のダッシュボードに埋め込まれた、車両の一部であることができる。
【００１７】
表示モジュール及び／又は接続モジュールは、ＣＡＮコマンドを送信及び／又は受信するために、車両のＣＡＮバスに接続されることができる。
【００１８】
本発明の別の態様は、インターフェースで接続された表示モジュールと接続モジュールとを備える車両用表示システムを動作させる方法に関する。この方法によれば、接続モジュールは、インターフェースを介して表示される映像データを表示モジュールに送信し、接続モジュール内に配置されたマイクロプロセッサが、表示される映像データに遠隔制御データパケットを埋め込み、それによって表示モジュールを遠隔制御する。
【００１９】
こうして、接続モジュールのマイクロプロセッサの計算力が接続モジュールと表示モジュールの間で共有される。従って、表示モジュールは、専用の特別なマイクロプロセッサなしで具現化されることができる。
【００２０】
代わりに、遠隔制御データパケットは、表示モジュール内の回路によって復号されることができる。制御データパケットの内容に応じて、回路は、例えば表示を開始及び／又は停止することによって、表示モジュールを制御することができる。
【００２１】
回路はまた、インターフェースを通じて接続モジュールに送信するためのデータ、例えば入力装置から受信したデータ、を符号化するように構成されることができる。
【００２２】
インターフェースを通じて表示される映像データは、低電圧差動シグナリングデータであることができ、表示される映像データに埋め込まれた制御データパケットは、詳細には標準ＵＡＲＴ又はＩ２Ｃの一方に従う、シリアル通信フォーマットを有することができる。
【００２３】
本発明のさらなる適用性の範囲は、以下の詳細な説明から明らかになるであろう。しかしながら、本発明の精神及び範囲内での様々な変更及び修正がこの詳細な説明から当業者に明らかになるので、詳細な説明及び具体的な例は、本発明の好ましい実施形態を示すが、例示のためだけに与えられていることを理解すべきである。
【図面の簡単な説明】
【００２４】
例示としてのみ与えられ且つ従って本発明を限定するものではない以下の詳細な説明及び添付の図面から、本発明はより完全に理解されるであろう。
【図１】車両用の表示モジュール及び接続モジュールの概略図である。
【発明を実施するための形態】
【００２５】
図１は、車両用の表示モジュール２と接続モジュール３とを備える表示システム１の概略図である。
【００２６】
表示モジュール２は、制御装置２．１と、表示装置２．２と、入力装置２．３とを含む。表示装置２．２は、ＴＦＴディスプレイとして構成されることができる。入力装置２．３は、表示装置２．２上に配置されたタッチパネルとして具現化されることができる。制御部２．１は、表示装置２．２によって表示されるデータを復号するため及び入力装置２．３によって提供されたデータを符号化するための回路２．１．１を備えることができる。
【００２７】
接続モジュール３は、マイクロプロセッサ３．１を含む。
【００２８】
表示モジュール２は、インターフェース４、例えば低電圧差動シグナリングインターフェース（ＬＶＤＳ）を介して接続モジュール３に接続される。接続モジュール３は、インターフェース４を介して表示される映像データＶを表示モジュール２に送信する。
【００２９】
マイクロプロセッサ３．１は、映像データＶに遠隔制御データパケットＲＣを埋め込む。遠隔制御データパケットＲＣは、表示モジュール２の制御部２．１で復号され、例えば表示を開始又は停止するために、表示モジュール２、特に回路２．１．１を制御するのに使用される。こうして、接続モジュール３のマイクロプロセッサ３．１の計算力が接続モジュール３と表示モジュール２の間で共有される。従って、表示モジュール２は、専用の特別なマイクロプロセッサなしで具現化されることができる。
【００３０】
遠隔制御データパケットＲＣは、例えば標準ＵＡＲＴ又はＩ２Ｃの一方に従う、シリアル通信フォーマットを有することができる。
【００３１】
インターフェース４での通信は、接続モジュール３から表示モジュール２にデータを送信するための一方向であることができる。例示的な実施形態では、インターフェース４での通信は、表示モジュール２がそのステータス又は入力装置２．３から受信したデータを接続モジュール３に通信することを可能にする、双方向であることができる。
【００３２】
表示モジュール２は、車両のダッシュボードに埋め込まれることができる。
【００３３】
表示モジュール２及び／又は接続モジュール３は、ＣＡＮコマンドを送信及び／又は受信するために、車両のＣＡＮバスに接続されることができる。
【符号の説明】
【００３４】
１  表示システム
２  表示モジュール
２．１  制御装置
２．１．１  回路
２．２  表示装置
２．３  入力装置
３  接続モジュール
３．１  マイクロプロセッサ
４  インターフェース
ＲＣ  遠隔制御データパケット
Ｖ  映像データ
【図１】
2015507755.tif 000003
【国際調査報告】
2015507755.tif 000004
2015507755.tif 000005